(57)【要約】【課題】消費電力の低減化を図りながら、収容される商品に損傷を与える虞れがない冷却加熱装置を提供すること。【解決手段】圧縮機２１、庫外熱交換器２２、第１キャピラリーチューブ２３、右庫２４ａを備えた冷却経路と、中庫２４ｂ、左庫２４ｃで凝縮した冷媒を冷却経路に戻す加熱経路と、庫内温度が冷却上限温度を超える場合に圧縮機２１を駆動させ、冷却下限温度を下回る場合に駆動停止させる冷却運転制御部７３と、庫内温度が加熱下限温度を下回る場合には、庫内ヒータ６５ｂ，６５ｃを駆動させる一方、加熱上限温度を超える場合には、庫内ヒータ６５ｂ，６５ｃの駆動を規制する加熱運転制御部７４とを備え、加熱運転制御部７４は、庫内温度が加熱下限温度を下回る場合であっても、予め設定された待機時間が経過するまで、あるいは加熱下限温度より低い待機下限温度を庫内温度が下回るまで庫内ヒータ６５ｂ，６５ｃの駆動を規制するものである。【選択図】        図３
2010169361.tif 000002
【特許請求の範囲】
【請求項１】
冷媒を圧縮する圧縮機と、前記圧縮機で圧縮された冷媒を凝縮させる凝縮器と、前記凝縮器で凝縮した冷媒を断熱膨張させる膨張機構と、前記膨張機構で断熱膨張した冷媒を蒸発させる蒸発器とを順次接続して構成した冷却経路と、
前記圧縮機で圧縮された冷媒の一部を導入して凝縮させる庫内熱交換器を有し、前記庫内熱交換器で凝縮した冷媒を前記冷却経路に戻すように構成した加熱経路と、
前記蒸発器が配設された冷却室の冷却室内温度が予め決められた冷却上限温度を超える場合には、前記圧縮機を駆動させて該冷却室の内部雰囲気を冷却させる一方、前記冷却室内温度が前記冷却上限温度よりも低い、予め決められた冷却下限温度を下回る場合には、前記圧縮機の駆動を停止させる冷却制御手段と、
前記庫内熱交換器が配設された加熱室の加熱室内温度が予め決められた加熱下限温度を下回る場合には、該加熱室の内部に配設された加熱手段を駆動させて加熱室の内部雰囲気を加熱する一方、前記加熱室内温度が前記加熱下限温度よりも高い、予め決められた加熱上限温度を超える場合には、前記加熱手段の駆動を規制する加熱制御手段と
を備えた冷却加熱装置において、
前記加熱制御手段は、前記加熱室内温度が前記加熱下限温度を下回る場合であっても、予め設定された待機時間が経過するまで、あるいは前記加熱下限温度より低い待機下限温度を前記加熱室内温度が下回るまで、前記加熱手段の駆動を規制することを特徴とする冷却加熱装置。
【請求項２】
前記加熱制御手段は、前記待機時間の経過した時点で前記圧縮機が駆動している場合には、前記加熱手段の駆動を規制する一方、前記待機時間の経過した時点で前記圧縮機が駆動停止している場合には、前記加熱手段を駆動させることを特徴とする請求項１に記載の冷却加熱装置。
【請求項３】
前記加熱制御手段は、前記加熱室内温度が前記待機下限温度に一致するまでの間に前記圧縮機が駆動した場合には、前記加熱手段の駆動を規制する一方、前記加熱室内温度が前記待機下限温度を下回る時点で前記圧縮機が駆動停止している場合には、前記加熱手段を駆動させることを特徴とする請求項１又は請求項２に記載の冷却加熱装置。
【発明の詳細な説明】
【技術分野】
【０００１】
本発明は、冷却加熱装置に関し、より詳細には、例えば自動販売機等に適用され、自動販売機本体に画成された商品収容庫の内部雰囲気を冷却、あるいは加熱するための冷却加熱装置に関するものである。
【背景技術】
【０００２】
従来、例えば自動販売機等に適用される冷却加熱装置として、ヒートポンプとしての機能を有する冷媒回路と、コントローラとを備えたものが知られている。かかる冷媒回路としては、冷却経路と加熱経路とを備えているのが一般的である。
【０００３】
冷却経路は、蒸発器、圧縮機、凝縮器及び膨張機構を冷媒配管にて順次接続して構成されたものである。蒸発器は、自動販売機の商品収容庫の内部に配設されている。この蒸発器は、供給された冷媒が所定の流路を通過して蒸発することにより、商品収容庫の内部空気（内部雰囲気）を冷却するものである。
【０００４】
圧縮機は、自動販売機本体内であって商品収容庫の外部となる機械室に配設されており、蒸発器で蒸発した冷媒を吸引し、吸引した冷媒を圧縮して高温高圧の状態にして吐出するものである。凝縮器は、圧縮機と同様に機械室に配設されており、冷媒配管を通じて圧縮機で圧縮された冷媒を導入し、導入した冷媒が凝縮することにより、周囲空気を加熱、すなわち周囲空気に放熱するものである。膨張機構は、圧縮機及び凝縮器と同様に機械室に配設されており、凝縮器で凝縮した冷媒を減圧して断熱膨張させるものである。
【０００５】
加熱経路は、庫内熱交換器を有して成る経路である。庫内熱交換器は、商品収容庫の内部に配設されている。より詳細には、加熱対象となる商品を収容する商品収容庫の内部に配設されている。この庫内熱交換器は、冷却経路を構成する圧縮機と凝縮器とを接続する冷媒配管から分岐した分岐配管に入口側が接続されているとともに、凝縮器と膨張機構とを接続する冷媒配管に合流する態様で設けられた戻り配管に出口側が接続されている。かかる庫内熱交換器は、分岐配管を通じて圧縮機で圧縮された冷媒を導入し、導入した冷媒が凝縮することにより、自身が配設された商品収容庫の内部空気を加熱するものである。
【０００６】
このような冷媒回路において、圧縮機で圧縮させた冷媒を冷却経路及び加熱経路のそれぞれに流す場合、圧縮機で圧縮された冷媒のうち冷却経路を流れる冷媒は、凝縮器に至り、該凝縮器で凝縮し、凝縮した冷媒が膨張機構で断熱膨張され、蒸発器で蒸発する。この蒸発器で蒸発した冷媒は、圧縮機により吸引されて再び圧縮されて循環することになる。これにより蒸発器が配設された商品収容庫（冷却庫）の内部空気は冷却される。
【０００７】
一方、圧縮機で圧縮された冷媒のうち加熱経路を流れる冷媒は、分岐配管を通じて庫内熱交換器に至り、該庫内熱交換器で凝縮する。これにより庫内熱交換器が配設された商品収容庫（加熱庫）の内部空気は加熱される。庫内熱交換器で凝縮した冷媒は、戻り配管を通じて冷却経路に戻り、膨張機構で断熱膨張され、蒸発器で蒸発して圧縮機に吸引されて再び圧縮されて循環することになる。
【０００８】
コントローラは、圧縮機の駆動を制御するためのものであり、蒸発器が配設された商品収容庫の庫内温度が予め決められた冷却許容上限温度を超えた場合、あるいは庫内熱交換器が配設された商品収容庫の庫内温度が予め決められた加熱許容下限温度を下回った場合に、圧縮機を駆動させるものである。その一方、蒸発器が配設された商品収容庫の庫内温度が予め決められた冷却許容下限温度を下回った場合、あるいは庫内熱交換器が配設された商品収容庫の庫内温度が加熱許容上限温度を超えた場合に、圧縮機の駆動を停止させるものである。
【０００９】
そして、消費電力を低減させるために、冷却庫及び加熱庫のうちから優先室を決定し、かかる優先室の庫内温度に応じて圧縮機の駆動を制御するようにした冷却加熱装置が知られている。
【００１０】
このような冷却加熱装置においては、例えば加熱庫を優先室とした場合、コントローラは、加熱庫の庫内温度が加熱許容下限温度を下回った場合には、冷却庫の庫内温度に関係なく圧縮機を駆動させ、加熱庫の内部空気を加熱する。その後、加熱庫の庫内温度が加熱許容上限温度を超えた場合に、冷却庫の庫内温度に関係なく圧縮機の駆動を停止させている（例えば、特許文献１参照）。
【００１１】
【特許文献１】特開２００６−０１１６０４号公報
【発明の開示】
【発明が解決しようとする課題】
【００１２】
ところが、上述したような特許文献１に提案されている冷却加熱装置では、加熱庫を優先室とした場合、冷却庫の庫内温度に関係なく加熱庫の庫内温度に応じて圧縮機を駆動及び駆動停止させるため、冷却庫の内部空気が過剰に冷却されたり（過冷却）、冷却庫の庫内温度が冷却許容上限温度を大きく超えてしまったりして収容される商品に損傷を与える虞れがある。
【００１３】
本発明は、上記実情に鑑みて、消費電力の低減化を図りながら、収容される商品に損傷を与える虞れがない冷却加熱装置を提供することを目的とする。
【課題を解決するための手段】
【００１４】
上記目的を達成するために、本発明の請求項１に係る冷却加熱装置は、冷媒を圧縮する圧縮機と、前記圧縮機で圧縮された冷媒を凝縮させる凝縮器と、前記凝縮器で凝縮した冷媒を断熱膨張させる膨張機構と、前記膨張機構で断熱膨張した冷媒を蒸発させる蒸発器とを順次接続して構成した冷却経路と、前記圧縮機で圧縮された冷媒の一部を導入して凝縮させる庫内熱交換器を有し、前記庫内熱交換器で凝縮した冷媒を前記冷却経路に戻すように構成した加熱経路と、前記蒸発器が配設された冷却室の冷却室内温度が予め決められた冷却上限温度を超える場合には、前記圧縮機を駆動させて該冷却室の内部雰囲気を冷却させる一方、前記冷却室内温度が前記冷却上限温度よりも低い、予め決められた冷却下限温度を下回る場合には、前記圧縮機の駆動を停止させる冷却制御手段と、前記庫内熱交換器が配設された加熱室の加熱室内温度が予め決められた加熱下限温度を下回る場合には、該加熱室の内部に配設された加熱手段を駆動させて加熱室の内部雰囲気を加熱する一方、前記加熱室内温度が前記加熱下限温度よりも高い、予め決められた加熱上限温度を超える場合には、前記加熱手段の駆動を規制する加熱制御手段とを備えた冷却加熱装置において、前記加熱制御手段は、前記加熱室内温度が前記加熱下限温度を下回る場合であっても、予め設定された待機時間が経過するまで、あるいは前記加熱下限温度より低い待機下限温度を前記加熱室内温度が下回るまで、前記加熱手段の駆動を規制することを特徴とする
【００１５】
また、本発明の請求項２に係る冷却加熱装置は、上述した請求項１において、前記加熱制御手段は、前記待機時間の経過した時点で前記圧縮機が駆動している場合には、前記加熱手段の駆動を規制する一方、前記待機時間の経過した時点で前記圧縮機が駆動停止している場合には、前記加熱手段を駆動させることを特徴とする。
【００１６】
また、本発明の請求項３に係る冷却加熱装置は、上述した請求項１又は請求項２において、前記加熱制御手段は、前記加熱室内温度が前記待機下限温度に一致するまでの間に前記圧縮機が駆動した場合には、前記加熱手段の駆動を規制する一方、前記加熱室内温度が前記待機下限温度を下回る時点で前記圧縮機が駆動停止している場合には、前記加熱手段を駆動させることを特徴とする。
【発明の効果】
【００１７】
本発明の冷却加熱装置によれば、加熱制御が、加熱室内温度が加熱下限温度を下回る場合であっても、予め設定された待機時間が経過するまで、あるいは加熱下限温度より低い待機下限温度を加熱室内温度が下回るまで、加熱手段の駆動を規制するので、加熱手段が駆動する機会を低減させて、圧縮機の駆動に基づく庫内熱交換器による内部空気の加熱の機会、すなわちヒートポンプ運転を行う機会を増大させることができる。しかも、待機時間や待機下限温度が加熱許容範囲に含まれるものであれば商品が必要以上に冷却されてしまう虞れもない。従って、消費電力の低減化を図りながら、収容される商品に損傷を与える虞れがないという効果を奏する。
【発明を実施するための最良の形態】
【００１８】
以下に添付図面を参照して、本発明に係る冷却加熱装置の好適な実施の形態について詳細に説明する。
【００１９】
図１は、本発明の実施の形態である冷却加熱装置が適用された自動販売機の内部構造を正面から見た場合を示す断面図である。ここで例示する自動販売機は、本体キャビネット１を備えている。
【００２０】
本体キャビネット１は、前面が開口した直方状の形態を成すものである。この本体キャビネット１には、その内部に例えば２つの断熱仕切板２によって仕切られた３つの独立した商品収容庫３が左右に並んだ態様で設けてある。この商品収容庫３は、缶入り飲料やペットボトル入り飲料等の商品を所望の温度に維持した状態で収容するためのもので、断熱構造を有している。
【００２１】
図２は、図１に示した自動販売機の内部構造を示すものであり、右側の商品収容庫３の断面側面図である。尚、ここでは右側の商品収容庫（以下、適宜右庫とも称する）３ａの内部構造について示すが、中央の商品収容庫（以下、適宜中庫とも称する）３ｂ及び左側の商品収容庫（以下、適宜左庫とも称する）３ｃの内部構造も右庫３ａと略同じような構成である。尚、本明細書における右側とは、自動販売機を正面から見た場合の右方を示し、左側とは、自動販売機を正面から見た場合の左方を示す。
【００２２】
かかる図２に示すように、本体キャビネット１の前面には、外扉４及び内扉５が設けてある。外扉４は、本体キャビネット１の前面開口を開閉するためのものであり、内扉５は、商品収容庫３の前面を開閉するためのものである。この内扉５は、上下に分割してあり、上側の扉５ａは商品を補充する際に開閉するものである。
【００２３】
上記商品収容庫３には、商品収納ラック６、搬出機構７及び搬出シュータ８が設けてある。商品収納ラック６は、商品を上下方向に沿って並ぶ態様で収納するためのものである。搬出機構７は、商品収納ラック６の下部に設けてあり、この商品収納ラック６に収納された商品群の最下位にある商品を１つずつ搬出するためのものである。搬出シュータ８は、搬出機構７から搬出された商品を外扉４に設けられた商品取出口４ａに導くためのものである。
【００２４】
図３は、本発明の実施の形態である冷却加熱装置を概念的に示す概念図である。ここで例示する冷却加熱装置は、主経路２０、分岐経路３０、放熱経路４０及び戻り経路５０から成り、内部に冷媒が封入された冷媒回路１０を備えて構成してある。
【００２５】
主経路２０は、圧縮機２１、庫外熱交換器２２、第１キャピラリーチューブ２３及び庫内熱交換器２４を冷媒配管２５にて順次接続して構成してある。
【００２６】
圧縮機２１は、図２にも示すように機械室９に配設してある。機械室９は、本体キャビネット１の内部であって商品収容庫３と区画され、かつ商品収容庫３の下方側の室である。この圧縮機２１は、吸引口を通じて冷媒を吸引し、吸引した冷媒を圧縮して高温高圧の状態（高温高圧冷媒）にして吐出口より吐出するものである。
【００２７】
庫外熱交換器２２は、図２にも示すように圧縮機２１と同様に機械室９に配設してある。この庫外熱交換器２２は、通過する冷媒を凝縮させるものである。より詳細に説明すると、圧縮機２１で圧縮され、かつ吐出口から吐出されて冷媒配管２５を通じて送出された冷媒を周囲空気と熱交換させて凝縮させるものである。
【００２８】
この庫外熱交換器２２と圧縮機２１とを接続する冷媒配管２５には、高圧側電磁弁２６１が設けてある。かかる高圧側電磁弁２６１は、開閉可能な弁体であり、後述するコントローラ７０から開指令が与えられた場合には開成して冷媒の通過を許容する一方、閉指令が与えられた場合には閉成して冷媒の通過を規制するものである。
【００２９】
第１キャピラリーチューブ２３は、図２にも示すように圧縮機２１及び庫外熱交換器２２と同様に機械室９に配設してある。この第１キャピラリーチューブ２３は、通過する冷媒を減圧して断熱膨張させるものである。
【００３０】
庫内熱交換器２４は、複数（図示の例では３つ）設けてあり、各商品収容庫３の内部低域であって、背面ダクトＤ（図２参照）の前面側に配設してある。これら庫内熱交換器２４と第１キャピラリーチューブ２３とを接続する冷媒配管２５は、その途中に配設された分配器２７により３つに分岐され、右庫３ａに配設された庫内熱交換器（以下、右庫内熱交換器とも称する）２４ａの入口側に、中庫３ｂに配設された庫内熱交換器（以下、中庫内熱交換器とも称する）２４ｂの入口側に、左庫３ｃの内部に配設された庫内熱交換器（以下、左庫内熱交換器とも称する）２４ｃの入口側にそれぞれ接続してある。
【００３１】
また、この冷媒配管２５においては、分配器２７から右庫内熱交換器２４ａ、中庫内熱交換器２４ｂ及び左庫内熱交換器２４ｃのそれぞれに至る途中に低圧側電磁弁２６２，２６３，２６４が設けてある。低圧側電磁弁２６２，２６３，２６４は、開閉可能な弁体であり、コントローラ７０から開指令が与えられた場合には開成して冷媒の通過を許容する一方、閉指令が与えられた場合には閉成して冷媒の通過を規制するものである。
【００３２】
中庫内熱交換器２４ｂ及び左庫内熱交換器２４ｃの出口側に接続された冷媒配管２５は、途中の第１合流点Ｐ１で合流し、更に右庫内熱交換器２４ａの出口側に接続された冷媒配管２５は、第２合流点Ｐ２で合流し、アキュムレータ２８を介して圧縮機２１に接続している。ここでアキュムレータ２８は、通過する冷媒が気液混合冷媒である場合に、液相冷媒を貯留して気相冷媒を通過させるためのものである。
【００３３】
中庫内熱交換器２４ｂ及び左庫内熱交換器２４ｃの出口側に接続された冷媒配管２５には、それぞれ第１合流点Ｐ１の上流側に帰還用電磁弁２６５，２６６が配設してある。かかる帰還用電磁弁２６５，２６６は、開閉可能な弁体であり、コントローラ７０から開指令が与えられた場合には開成して冷媒の通過を許容する一方、閉指令が与えられた場合には閉成して冷媒の通過を規制するものである。
【００３４】
分岐経路３０は、圧縮機２１と高圧側電磁弁２６１との経路の途中の高圧側分岐点Ｐ３から分岐し、その途中でさらに分岐して、一方が中庫内熱交換器２４ｂの入口側の冷媒配管２５に、他方が左庫内熱交換器２４ｃの入口側の冷媒配管２５にそれぞれ合流する分岐配管３１により構成されたものである。この分岐経路３０は、圧縮機２１で圧縮された冷媒（高圧冷媒）を導入する経路である。ここで、中庫内熱交換器２４ｂ及び左庫内熱交換器２４ｃの入口側の冷媒配管２５においては、各分岐配管３１（各分岐経路３０）との合流個所よりも上流側の経路、すなわち各合流個所とその上流にある低圧側電磁弁２６３，２６４との間の経路には、逆止弁２６７，２６８が設けてある。
【００３５】
かかる分岐経路３０においては、分岐個所の下流側にそれぞれ分岐電磁弁３２１，３２２が設けてある。分岐電磁弁３２１，３２２は、開閉可能な弁体であり、コントローラ７０から開指令が与えられた場合には開成して冷媒の通過を許容する一方、閉指令が与えられた場合には閉成して冷媒の通過を規制するものである。
【００３６】
つまり、中庫内熱交換器２４ｂ及び左庫内熱交換器２４ｃは、分岐経路３０を通じて圧縮機２１で圧縮された冷媒が供給された場合には、通過する冷媒を凝縮させて対象となる商品収容庫３（中庫３ｂ、左庫３ｃ）の内部空気を加熱するものである。
【００３７】
放熱経路４０は、中庫内熱交換器２４ｂ及び左庫内熱交換器２４ｃの出口側に接続された冷媒配管２５のそれぞれの途中で分岐され、第３合流点Ｐ４で合流し、庫外熱交換器２２に隣接する態様で配設されたガスクーラ４１の入口側に接続された放熱配管４２により構成されたものである。この放熱経路４０は、中庫内熱交換器２４ｂ及び左庫内熱交換器２４ｃの少なくとも一方で凝縮した冷媒をガスクーラ４１に供給するためのものである。かかる放熱経路４０により冷媒が供給されたガスクーラ４１では、該冷媒と周囲空気との間で熱交換が行われ、該冷媒が放熱する。すなわち、放熱経路４０は、庫内熱交換器２４で凝縮した冷媒を導入してガスクーラ４１に供給し、該ガスクーラ４１にて該冷媒を周囲空気と熱交換させて放熱させるものである。
【００３８】
このような放熱経路４０を構成する放熱配管４２の途中、すなわち中庫内熱交換器２４ｂ及び左庫内熱交換器２４ｃの出口側に接続された冷媒配管２５との分岐点から第３合流点Ｐ４に至る途中に、それぞれ逆止弁４３１，４３２が設けてある。
【００３９】
戻り経路５０は、ガスクーラ４１の出口側に接続され、かつ主経路２０を構成する冷媒配管２５、すなわち第１キャピラリーチューブ２３と分配器２７との間の冷媒配管２５の第４合流点Ｐ５に接続する戻り配管５１により構成された経路である。
【００４０】
この戻り経路５０を構成する戻り配管５１の途中には第２キャピラリーチューブ５２が設けてある。この第２キャピラリーチューブ５２は、通過する冷媒を減圧して断熱膨張させるものである。
【００４１】
上記冷媒回路１０においては、３つのストレーナ、すなわち第１ストレーナＳ１、第２ストレーナＳ２及び第３ストレーナＳ３が配設してある。第１ストレーナＳ１は、主経路２０における庫外熱交換器２２と第１キャピラリーチューブ２３との間の冷媒配管２５に配設してある。かかる第１ストレーナＳ１は、水分除去を行うための乾燥剤を有しているとともに、異物除去を行うためのフィルタを有しており、該冷媒配管２５を通過する冷媒の水分除去及び異物除去を行う除去部材である。
【００４２】
第２ストレーナＳ２は、戻り経路５０における戻り配管５１、すなわちガスクーラ４１と第２キャピラリーチューブ５２との間の戻り配管５１に配設してある。かかる第２ストレーナＳ２は、異物除去を行うためのフィルタを有しており、該冷媒配管２５を通過する冷媒の異物除去のみを行う異物除去部材である。
【００４３】
第３ストレーナＳ３は、主経路２０における圧縮機２１の吐出口側の冷媒配管２５に配設してある。かかる第３ストレーナＳ３は、異物除去を行うためのフィルタを有しており、該冷媒配管２５を通過する冷媒の異物除去を行う異物除去部材である。尚、本実施の形態では、圧縮機２１の吐出口側に接続された冷媒配管２５にも第３ストレーナＳ３を配設してあるが、かかるストレーナは必須ではなく、冷却加熱装置の適用条件等に応じて適宜設置すればよい。
【００４４】
図４は、本実施の形態である冷却加熱装置の制御系を模式的に示すブロック図である。この図４に示すように、冷却加熱装置は、入力手段６０、右庫内温度センサ６１、中庫内温度センサ６２、左庫内温度センサ６３、中庫内ヒータ６５ｂ、左庫内ヒータ６５ｃ及びコントローラ７０を備えている。
【００４５】
入力手段６０は、例えばリモコン等のような各種設定入力を行うためのものであり、ここで設定入力された情報は、コントローラ７０に与えられる。
【００４６】
右庫内温度センサ６１は、右庫３ａの内部に配設してあり、右庫３ａの庫内温度（室内温度）を検出する検出手段である。中庫内温度センサ６２は、中庫３ｂの内部に配設してあり、中庫３ｂの庫内温度（室内温度）を検出する検出手段である。左庫内温度センサ６３は、左庫３ｃの内部に配設してあり、左庫３ｃの庫内温度（室内温度）を検出する検出手段である。これら右庫内温度センサ６１、中庫内温度センサ６２及び左庫内温度センサ６３で検出された温度に関する情報は、温度信号としてコントローラ７０に与えられる。
【００４７】
中庫内ヒータ６５ｂは、中庫３ｂの内部に配設、より詳細には、中庫３ｂの底部であって庫内送風ファンの近傍に配設してある。この中庫内ヒータ６５ｂは、駆動すると通電状態となり、中庫３ｂの内部空気を加熱する加熱手段である。左庫内ヒータ６５ｃは、左庫３ｃの内部に配設、より詳細には、左庫３ｃの底部であって庫内送風ファンの近傍に配設してある。この左庫内ヒータ６５ｃは、駆動すると通電状態となり、左庫３ｃの内部空気を加熱する加熱手段である。
【００４８】
コントローラ７０は、メモリ８０に記憶されるプログラムやデータにしたがって上記冷媒回路１０の各部の動作を統括的に制御するものであり、入力処理部７１、電磁弁駆動処理部７２、冷却運転制御部７３及び加熱運転制御部７４を備えて構成してある。
【００４９】
ここでメモリ８０には、種々の情報が記憶されており、本発明の特徴的なものとしては、冷却温度情報、加熱温度情報、並びに待機時間情報が記憶されている。冷却温度情報は、冷却対象となる商品収容庫３（冷却庫）の目標とする冷却温度範囲を定めるためのものであり、上限値としての冷却上限温度、並びに下限値としての冷却下限温度が含まれている。加熱温度情報は、加熱対象となる商品収容庫３（加熱庫）の目標とする加熱温度範囲を定めるためのものであり、上限値としての加熱上限温度、並びに下限値としての加熱下限温度が含まれている。待機時間情報は、後述する加熱運転制御処理を実施する際の待機時間に関する情報である。ここで本実施の形態における待機時間としては、例えば２分間としている。
【００５０】
入力処理部７１は、入力手段６０、各庫内温度センサ６１，６２，６３から与えられる指令やデータ等の情報を入力処理するためのものである。電磁弁駆動処理部７２は、各電磁弁、すなわち高圧側電磁弁２６１、低圧側電磁弁２６２，２６３，２６４、帰還用電磁弁２６５，２６６及び分岐電磁弁３２１，３２２のそれぞれに対して開指令、あるいは閉指令を与えてこれらを個別に開成、あるいは閉成させるものである。
【００５１】
冷却運転制御部７３は、冷却温度判定部７３１及び圧縮機駆動処理部７３２を備えている。冷却温度判定部７３１は、冷却庫（商品収容庫３）の内部に配設された庫内温度センサ６１，６２，６３から与えられた温度、すなわち庫内温度センサ６１，６２，６３により検出された庫内温度が、目標とする冷却温度範囲にあるか否かを判定するものである。より詳細には、検出された庫内温度が冷却下限温度を下回るか否か、あるいは検出された庫内温度が冷却上限温度を超えるか否かを判定するものである。圧縮機駆動処理部７３２は、圧縮機２１に駆動指令、あるいは駆動停止指令を与えて圧縮機２１を所定の回転数で駆動させる処理を行うものである。
【００５２】
加熱運転制御部７４は、加熱温度判定部７４１、時間計測部７４２、圧縮機運転判定部７４３及びヒータ駆動処理部７４４を備えている。加熱温度判定部７４１は、加熱庫（商品収容庫３）の内部に配設された庫内温度センサ６２，６３から与えられた温度、すなわち庫内温度センサ６２，６３により検出された庫内温度が、目標とする加熱温度範囲にあるか否かを判定するものである。より詳細には、検出された庫内温度が加熱下限温度を下回るか否か、あるいは検出された庫内温度が加熱上限温度を超えるか否かを判定するものである。時間計測部７４２は、待機時間の計測を行うものである。
【００５３】
圧縮機運転判定部７４３は、圧縮機２１が駆動しているか否かの判定を行うものである。より詳細には、冷却運転制御部７３の圧縮機駆動処理部７３２から駆動指令が与えられた場合には、圧縮機２１が駆動しているものと判定する一方、圧縮機駆動処理部７３２から駆動停止指令が与えられた場合には、圧縮機２１が駆動停止しているものと判定するものである。ヒータ駆動処理部７４４は、庫内ヒータ６５ｂ、６５ｃを通電状態にして駆動、あるいは庫内ヒータ６５ｂ、６５ｃを非通電状態にして駆動停止させるものである。
【００５４】
以上のような構成を有する冷却加熱装置は、次のようにして商品収容庫３に収容された商品を冷却、あるいは加熱する。
【００５５】
まず、ＣＣＣ運転（すべての商品収容庫３の内部空気を冷却する運転）を行う場合について説明する。この場合、入力手段６０を通じてＣＣＣ運転を行う旨の指令が与えられたコントローラ７０は、電磁弁駆動処理部７２を通じて分岐電磁弁３２１，３２２を閉成させ、高圧側電磁弁２６１、低圧側電磁弁２６２，２６３，２６４及び帰還用電磁弁２６５，２６６を開成させる。これにより圧縮機２１で圧縮された冷媒は、図５に示すように循環する。
【００５６】
すなわち、圧縮機２１で圧縮された冷媒は、開成する高圧側電磁弁２６１を通過して庫外熱交換器２２に至る。庫外熱交換器２２に至った冷媒は、該庫外熱交換器２２を通過中に、周囲空気（外気）に放熱して凝縮する。庫外熱交換器２２で凝縮した冷媒は、第１ストレーナＳ１を通過して、水分及び異物が除去され、その後に第１キャピラリーチューブ２３で断熱膨張する。
【００５７】
第１キャピラリーチューブ２３で断熱膨張して気化した冷媒は、分配器２７で３つに分岐され、右庫内熱交換器２４ａ、中庫内熱交換器２４ｂ及び左庫内熱交換器２４ｃに至り、各庫内熱交換器２４で蒸発して商品収容庫３の内部空気から熱を奪い、該内部空気を冷却する。冷却された内部空気は、各庫内送風ファン（Ｆ１）の駆動により内部を循環し、これにより各商品収容庫３に収容された商品は、循環する内部空気に冷却される。各庫内熱交換器２４で蒸発した冷媒は、アキュムレータ２８にて気液分離された後、気相部分が圧縮機２１に吸引され、圧縮機２１に圧縮されて上述した循環を繰り返す。
【００５８】
次に、ＨＨＣ運転（中庫３ｂ及び左庫３ｃの内部空気を加熱し、かつ右庫３ａの内部空気を冷却する運転）を行う場合について説明する。この場合、入力手段６０を通じてＨＨＣ運転を行う旨の指令が与えられたコントローラ７０は、電磁弁駆動処理部７２を通じて高圧側電磁弁２６１、低圧側電磁弁２６３，２６４及び帰還用電磁弁２６５，２６６を閉成させ、分岐電磁弁３２１，３２２及び低圧側電磁弁２６２を開成させる。これにより圧縮機２１で圧縮された冷媒は、図６に示すように循環する。
【００５９】
すなわち、圧縮機２１で圧縮された冷媒は、分岐経路３０を通過して中庫内熱交換器２４ｂ及び左庫内熱交換器２４ｃに至る。中庫内熱交換器２４ｂ及び左庫内熱交換器２４ｃに至った冷媒は、該熱交換器を通過中に、中庫３ｂ及び左庫３ｃの内部空気とそれぞれ熱交換し、該内部空気に放熱して凝縮する。これにより、中庫３ｂ及び左庫３ｃの内部空気を加熱する。加熱された内部空気は、図示せぬ庫内送風ファンの駆動により、中庫３ｂ及び左庫３ｃのそれぞれの内部を循環し、これにより各商品収容庫３（中庫３ｂ及び左庫３ｃ）に収容された商品は、循環する内部空気に加熱される。
【００６０】
中庫内熱交換器２４ｂ及び左庫内熱交換器２４ｃで凝縮した冷媒は、放熱経路４０を構成する放熱配管４２を通過してガスクーラ４１に至り、該ガスクーラ４１で周囲空気に放熱する。ガスクーラ４１で放熱した冷媒は、第２ストレーナＳ２を通過して異物が除去され、その後に第２キャピラリーチューブ５２で断熱膨張する。
【００６１】
第２キャピラリーチューブ５２で断熱膨張して気化した冷媒は、分配器２７を経由して開成する低圧側電磁弁２６２を通過して右庫内熱交換器２４ａに至り、この右庫内熱交換器２４ａで蒸発して右庫３ａの内部空気から熱を奪い、該内部空気を冷却する。冷却された内部空気は、右庫内送風ファンＦ１（図２参照）の駆動により右庫３ａの内部を循環し、これにより右庫３ａに収容された商品は冷却される。右庫内熱交換器２４ａで蒸発した冷媒は、アキュムレータ２８にて気液分離された後、気相部分が圧縮機２１に吸引され、圧縮機２１に圧縮されて上述した循環を繰り返す。このように冷媒回路１０は、ヒートポンプとしての機能を有している。
【００６２】
このような冷媒回路１０においては、庫外熱交換器２２が圧縮機２１で圧縮された冷媒を凝縮させる凝縮器を構成し、庫内熱交換器２４が断熱膨張した冷媒を蒸発させる蒸発器を構成しており、主経路２０のうち圧縮機２１と、庫外熱交換器２２と、第１キャピラリーチューブ２３と、庫内熱交換器２４とを冷媒配管２５にて順次接続して構成したものが冷却経路を構成している。中庫内熱交換器２４ｂ及び左庫内熱交換器２４ｃが圧縮機２１で圧縮された冷媒の一部を導入して凝縮させる庫内熱交換器を構成し、分岐経路３０、放熱経路４０及び戻り経路５０が加熱経路を構成している。
【００６３】
上記ＨＨＣ運転を行うことにより、各商品収容庫３の庫内温度が所望の温度範囲に至ると、コントローラ７０は、次のような冷却運転制御処理及び加熱運転制御処理を実施する。
【００６４】
図７は、コントローラが実施する冷却運転制御処理の処理内容を示すフローチャートである。図７に示す冷却運転制御処理において、圧縮機２１を駆動させている状態で入力処理部７１を通じて庫内温度センサ（ＨＨＣ運転の場合は右庫内温度センサ６１）から右庫内温度を入力した場合（ステップＳ１０１：Ｙｅｓ、ステップＳ１０２：Ｙｅｓ）、コントローラ７０の冷却運転制御部７３は、冷却温度判定部７３１を通じてメモリ８０から冷却下限温度に関する情報を読み出してかかる冷却下限温度と右庫内温度とを比較し、右庫内温度が冷却下限温度を下回るか否かを判定する（ステップＳ１０３）。
【００６５】
右庫内温度が冷却下限温度を下回る場合（ステップＳ１０３：Ｙｅｓ）、コントローラ７０の冷却運転制御部７３は、圧縮機駆動処理部７３２を通じて圧縮機２１に駆動停止指令を与えて駆動停止させ（ステップＳ１０４）、その後に手順をリターンさせて今回の処理を終了する。これによれば、右庫３ａの内部の冷却が停止され、庫内温度が上昇する方向に推移する。この場合、中庫内熱交換器２４ｂ及び左庫内熱交換器２４ｃにも冷媒が流れなくなるため、中庫３ｂの内部空気は中庫内熱交換器２４ｂに加熱されなくなり、左庫３ｃの内部空気は左庫内熱交換器２４ｃに加熱されなくなる。そのため、中庫３ｂの庫内温度及び左庫３ｃの庫内温度は、低下する方向に推移する。
【００６６】
右庫内温度が冷却下限温度を下回っていない場合（ステップＳ１０３：Ｎｏ）、すなわち右庫内温度が冷却下限温度以上の場合には、コントローラ７０の冷却運転制御部７３は、圧縮機２１に対して指令を与えずに圧縮機２１の駆動を維持し（ステップＳ１０５）、その後に手順をリターンさせて今回の処理を終了する。これによれば、右庫内熱交換器２４ａで冷媒が蒸発する結果、右庫３ａの内部空気が冷却され、庫内温度が低下する方向に推移する。この場合、中庫内熱交換器２４ｂ及び左庫内熱交換器２４ｃでも冷媒が凝縮する結果、中庫３ｂの内部空気及び左庫３ｃの内部空気が加熱され、それぞれの庫内温度が上昇する方向に推移する。
【００６７】
一方、圧縮機２１を駆動させていない状態で入力処理部７１を通じて右庫内温度センサ６１から右庫内温度を入力した場合（ステップＳ１０１：Ｎｏ，ステップＳ１０６：Ｙｅｓ）、コントローラ７０の冷却運転制御部７３は、冷却温度判定部７３１を通じてメモリ８０から冷却上限温度に関する情報を読み出してかかる冷却上限温度と右庫内温度とを比較し、右庫内温度が冷却上限温度を超えているか否かを判定する（ステップＳ１０７）。
【００６８】
右庫内温度が冷却上限温度を超えている場合（ステップＳ１０７：Ｙｅｓ）、コントローラ７０の冷却運転制御部７３は、圧縮機駆動処理部７３２を通じて圧縮機２１に駆動指令を与えて駆動させ（ステップＳ１０８）、その後に手順をリターンさせて今回の処理を終了する。これによれば、右庫内熱交換器２４ａで冷媒が蒸発する結果、右庫３ａの内部空気が冷却され、庫内温度が低下する方向に推移する。この場合、中庫内熱交換器２４ｂ及び左庫内熱交換器２４ｃでも冷媒が凝縮する結果、中庫３ｂの内部空気及び左庫３ｃの内部空気が加熱され、それぞれの庫内温度が上昇する方向に推移する。
【００６９】
右庫内温度が冷却上限温度を超えていない場合（ステップＳ１０７：Ｎｏ）、すなわち右庫内温度が冷却上限温度以下の場合には、コントローラ７０の冷却運転制御部７３は、圧縮機２１に対して指令を与えずに圧縮機２１の駆動停止を維持し（ステップＳ１０９）、その後に手順をリターンさせて今回の処理を終了する。これによれば、右庫内熱交換器２４ａにおいて内部空気が冷却されることなく、右庫３ａの庫内温度が上昇する方向に推移する。この場合、中庫内熱交換器２４ｂ及び左庫内熱交換器２４ｃにより中庫３ｂの内部空気及び左庫３ｃの内部空気は加熱されず、中庫３ｂの庫内温度及び左庫３ｃの庫内温度は、低下する方向に推移する。
【００７０】
図８は、コントローラが実施する加熱運転制御処理の処理内容を示すフローチャートである。ここで説明する加熱運転制御処理は、庫内ヒータ（６５ｂ、６５ｃ）を駆動、あるいは駆動停止させる処理である。尚、上述した冷却運転制御処理により、圧縮機２１が駆動する場合には中庫内熱交換器２４ｂ及び左庫内熱交換器２４ｃが凝縮器として作用し、中庫３ｂの内部空気及び左庫３ｃの内部空気を加熱する。
【００７１】
図８に示す加熱運転制御処理において、庫内ヒータ（ＨＨＣ運転の場合は中庫内ヒータ６５ｂ及び左庫内ヒータ６５ｃ）を駆動させている状態で入力処理部７１を通じて庫内温度センサ（ＨＨＣ運転の場合は中庫内温度センサ６２及び左庫内温度センサ６３）から庫内温度をそれぞれ入力した場合（ステップＳ２０１：Ｙｅｓ、ステップＳ２０２：Ｙｅｓ）、コントローラ７０の加熱運転制御部７４は、加熱温度判定部７４１を通じてメモリ８０から加熱上限温度に関する情報を読み出してかかる加熱上限温度と庫内温度（中庫内温度及び左庫内温度）とを比較し、各庫内温度が加熱上限温度を下回るか否かを判定する（ステップＳ２０３）。
【００７２】
庫内温度が加熱上限温度を超える場合（ステップＳ２０３：Ｙｅｓ）、コントローラ７０の加熱運転制御部７４は、ヒータ駆動処理部７４４を通じて該当する商品収容庫３の内部の庫内ヒータに駆動停止指令を与えて非通電状態にさせて駆動停止させ（ステップＳ２０４）、その後に手順をリターンさせて今回の処理を終了する。これによれば、該当する商品収容庫３の内部の庫内ヒータによる加熱が停止され、庫内温度が低下する方向に推移する。
【００７３】
庫内温度が加熱上限温度を超えていない場合（ステップＳ２０３：Ｎｏ）、すなわち庫内温度が加熱上限温度以下の場合には、コントローラ７０の加熱運転制御部７４は、該当する庫内ヒータに対して指令を与えずに該庫内ヒータの駆動（通電状態）を維持し（ステップＳ２０５）、その後に手順をリターンさせて今回の処理を終了する。これによれば、庫内ヒータで該当する商品収容庫３の内部空気が加熱され、庫内温度が上昇する方向に推移する。
【００７４】
このようなステップＳ２０１〜ステップＳ２０５の処理を具体的に説明すると、中庫内温度及び左庫内温度の双方が加熱上限温度を超えている場合には、中庫内ヒータ６５ｂ及び左庫内ヒータ６５ｃの双方を非通電状態にさせて駆動停止させ、中庫内温度及び左庫内温度のいずれか一方が加熱上限温度を超えている場合には、加熱上限温度を超えた商品収容庫３（例えば左庫３ｃ）の左庫内ヒータ６５ｃを駆動停止させ、他方（例えば中庫３ｂ）の中庫内ヒータ６５ｂを駆動維持させる。
【００７５】
一方、庫内ヒータを駆動させていない状態で入力処理部７１を通じて庫内温度センサから庫内温度を入力した場合（ステップＳ２０１：Ｎｏ，ステップＳ２０６：Ｙｅｓ）、コントローラ７０の加熱運転制御部７４は、加熱温度判定部７４１を通じてメモリ８０から加熱下限温度に関する情報を読み出してかかる加熱下限温度と庫内温度（中庫内温度及び左庫内温度）とを比較し、各庫内温度が加熱下限温度を下回っているか否かを判定する（ステップＳ２０７）。
【００７６】
各庫内温度が加熱下限温度を下回っている場合（ステップＳ２０７：Ｙｅｓ）、コントローラ７０の加熱運転制御部７４は、時間計測部７４２を通じて待機時間（例えば２分間）の計測を開始する（ステップＳ２０８）。
【００７７】
そして、加熱運転制御部７４が、待機時間が経過するまでの間に圧縮機運転判定部７４３を通じて圧縮機２１が駆動しているものと判定した場合（ステップＳ２０９：Ｙｅｓ，ステップＳ２１０：Ｎｏ）、すなわち待機時間が経過するまでの間に圧縮機運転判定部７４３を通じて、冷却運転制御部７３の圧縮機駆動処理部７３２から駆動指令が与えられていると判定した場合、ヒータ駆動処理部７４４を通じて該当する庫内ヒータに対して指令を与えずに該庫内ヒータの駆動停止（非通電状態）を維持し（ステップＳ２１１）、その後に手順をリターンさせて今回の処理を終了する。この場合、圧縮機２１の駆動により中庫内熱交換器２４ｂ及び左庫内熱交換器２４ｃが凝縮器として作用し、中庫３ｂ及び左庫３ｃの内部空気が加熱され、中庫内温度及び左庫内温度が上昇する方向に推移する。
【００７８】
上記ステップＳ２０７において各庫内温度が加熱下限温度以上の場合（ステップＳ２０７：Ｎｏ）にも、コントローラ７０の加熱運転制御部７４は、ヒータ駆動処理部７４４を通じて該当する庫内ヒータに対して指令を与えずに該庫内ヒータの駆動停止（非通電状態）を維持し（ステップＳ２１１）、その後に手順をリターンさせて今回の処理を終了する。
【００７９】
ところで、待機時間が経過しても圧縮機２１が駆動しているものと判定されなかった場合（ステップＳ２０９：Ｎｏ，ステップＳ２１０：Ｙｅｓ）、コントローラ７０の加熱運転制御部７４は、ヒータ駆動処理部７４４を通じて該当する商品収容庫３の内部の庫内ヒータに駆動指令を与えて通電状態にさせて駆動させ（ステップＳ２１２）、その後に手順をリターンさせて今回の処理を終了する。これによれば、該当する商品収容庫３の内部空気が庫内ヒータにより加熱され、庫内温度が上昇する方向に推移する。
【００８０】
以上説明したように、本実施の形態である冷却加熱装置によれば、コントローラ７０の加熱運転制御部７４が、該当する商品収容庫３の庫内温度が加熱温度を下回っている場合でも、待機時間が経過するまでは該商品収容庫３の内部の庫内ヒータの駆動を規制するので、庫内ヒータが駆動する機会を低減させて、圧縮機２１の駆動に基づく庫内熱交換器２４による内部空気の加熱の機会、すなわちヒートポンプ運転を行う機会を増大させることができる。しかも、待機時間は例えば２分間のように商品を許容範囲内で温蔵することが可能な程度であるので、商品が必要以上に冷却されてしまう虞れもない。従って、消費電力の低減化を図りながら、収容される商品に損傷を与える虞れがない。
【００８１】
以上、本発明の好適な実施の形態について説明したが、本発明はこれに限定されるものではなく、種々の変更を行うことができる。
【００８２】
上述した実施の形態においては、加熱運転制御処理において待機時間が経過するまで庫内ヒータの駆動を規制していたが、本発明においては、図９に示すような加熱運転制御処理を行っても良い。尚、図８に示す処理と同じステップには同一の番号を付し、かかるステップについての説明は省略する。
【００８３】
図９に示すステップＳ２０７において各庫内温度が加熱下限温度を下回っている場合（ステップＳ２０７：Ｙｅｓ）、コントローラ７０の加熱運転制御部７４は、メモリ８０から待機下限温度に関する情報を読み出して、かかる待機下限温度と庫内温度（中庫内温度及び左庫内温度）とを比較し、各庫内温度が待機下限温度を下回るまでに圧縮機２１が駆動するか否かを判定する（ステップＳ２１３，ステップＳ２１４）。ここで待機下限温度は、加熱下限温度よりも例えば１〜２℃低い温度であり、加熱運転をする上で商品に悪影響を与えない許容範囲に含まれるものである。
【００８４】
各庫内温度が待機下限温度を下回るまでの間に圧縮機運転判定部７４３を通じて圧縮機２１が駆動しているものと判定した場合（ステップＳ２１３：Ｙｅｓ，ステップＳ２１４：Ｎｏ）、コントローラ７０の加熱運転制御部７４は、ヒータ駆動処理部７４４を通じて該当する庫内ヒータに対して指令を与えずに該庫内ヒータの駆動停止（非通電状態）を維持し（ステップＳ２１５）、その後に手順をリターンさせて今回の処理を終了する。この場合、圧縮機２１の駆動により中庫内熱交換器２４ｂ及び左庫内熱交換器２４ｃが凝縮器として作用し、中庫３ｂ及び左庫３ｃの内部空気が加熱され、中庫内温度及び左庫内温度が上昇する方向に推移する。
【００８５】
上記ステップＳ２０７において各庫内温度が加熱下限温度以上の場合（ステップＳ２０７：Ｎｏ）にも、コントローラ７０の加熱運転制御部７４は、ヒータ駆動処理部７４４を通じて該当する庫内ヒータに対して指令を与えずに該庫内ヒータの駆動停止（非通電状態）を維持し（ステップＳ２１５）、その後に手順をリターンさせて今回の処理を終了する。
【００８６】
ところで、各庫内温度が待機下限温度を下回っても圧縮機２１が駆動しているものと判定されなかった場合（ステップＳ２１３：Ｎｏ，ステップＳ２１４：Ｙｅｓ）、コントローラ７０の加熱運転制御部７４は、ヒータ駆動処理部７４４を通じて該当する商品収容庫３の内部の庫内ヒータに駆動指令を与えて通電状態にさせて駆動させ（ステップＳ２１６）、その後に手順をリターンさせて今回の処理を終了する。これによれば、該当する商品収容庫３の内部空気が庫内ヒータにより加熱され、庫内温度が上昇する方向に推移する。
【００８７】
このような加熱運転制御処理によっても、コントローラ７０の加熱運転制御部７４が、該当する商品収容庫３の庫内温度が加熱温度を下回っている場合でも、該庫内温度が待機下限温度を下回るまでは該商品収容庫３の内部の庫内ヒータの駆動を規制するので、庫内ヒータが駆動する機会を低減させて、圧縮機２１の駆動に基づく庫内熱交換器２４による内部空気の加熱の機会、すなわちヒートポンプ運転を行う機会を増大させることができる。しかも、待機下限温度は加熱下限温度より例えば１〜２℃低いもので商品に悪影響を与えない許容範囲に含まれるものであるので、商品が必要以上に冷却されてしまう虞れもない。従って、消費電力の低減化を図りながら、収容される商品に損傷を与える虞れがない。
【００８８】
上述した実施の形態では、ヒートポンプ運転の一例として、ＨＨＣ運転の場合を示したが、本発明はこれに限定されることなく、ＨＣＣ運転（左庫３ｃの内部空気を加熱し、かつ中庫３ｂ及び右庫３ａの内部空気を冷却する運転）でも良いし、ＣＨＣ運転（中庫３ｂの内部空気を加熱し、かつ右庫３ａ及び左庫３ｃの内部空気を冷却する運転）でも良い。ＨＣＣ運転の場合、加熱運転制御処理の対象となる商品収容庫３は左庫３ｃであり、庫内ヒータは、左庫内ヒータ６５ｃとなる。ＣＨＣ運転の場合、加熱運転制御処理の対象となる商品収容庫３は中庫３ｂであり、庫内ヒータは、中庫内ヒータ６５ｂとなる。
【図面の簡単な説明】
【００８９】
【図１】本発明の実施の形態である冷却加熱装置が適用された自動販売機の内部構造を正面から見た場合を示す断面図である。
【図２】図１に示した自動販売機の内部構造を示すものであり、右側の商品収容庫の断面側面図である。
【図３】本発明の実施の形態である冷却加熱装置を概念的に示す概念図である。
【図４】本実施の形態である冷却加熱装置の制御系を模式的に示すブロック図である。
【図５】ＣＣＣ運転を行う場合の冷媒回路における冷媒の流れを概念的に示す概念図である。
【図６】ＨＨＣ運転を行う場合の冷媒回路における冷媒の流れを概念的に示す概念図である。
【図７】コントローラが実施する冷却運転制御処理の処理内容を示すフローチャートである。
【図８】コントローラが実施する加熱運転制御処理の処理内容を示すフローチャートである。
【図９】コントローラが実施する加熱運転制御処理の変形例の処理内容を示すフローチャートである。
【符号の説明】
【００９０】
１０    冷媒回路
２０    主経路
２１    圧縮機
２２    庫外熱交換器
２３    第１キャピラリーチューブ
２４    庫内熱交換器
２５    冷媒配管
２７    分配器
３０    分岐経路
３１    分岐配管
４０    放熱経路
４１    ガスクーラ
４２    放熱配管
５０    戻り経路
５１    戻り配管
５２    第２キャピラリーチューブ
６１    右庫内温度センサ
６２    中庫内温度センサ
６３    左庫内温度センサ
６５ｂ    中庫内ヒータ
６５ｃ    左庫内ヒータ
７０    コントローラ
７１    入力処理部
７２    電磁弁駆動処理部
７３    冷却運転制御部
７３１    冷却温度制御部
７３２    圧縮機駆動処理部
７４    加熱運転制御部
７４１    加熱温度判定部
７４２    時間計測部
７４３    圧縮機運転判定部
７４４    ヒータ駆動処理部
８０    メモリ
Ｄ    背面ダクト
Ｆ１    右庫内送風ファン
Ｓ１    第１ストレーナ
Ｓ２    第２ストレーナ
Ｓ３    第３ストレーナ
【図１】
2010169361.tif 000003
【図２】
2010169361.tif 000004
【図３】
2010169361.tif 000005
【図４】
2010169361.tif 000006
【図５】
2010169361.tif 000007
【図６】
2010169361.tif 000008
【図７】
2010169361.tif 000009
【図８】
2010169361.tif 000010
【図９】
2010169361.tif 000011